(57)【要約】【課題】２種類の光源から発せられる光を確実に区分することと、一方の光源から発せられる光を間接光とすることを簡易な構成によって両立できる照明装置を提供する。【解決手段】  照明装置は、自身が発光する第１発光体を有し、第１発光体によって発せられた光を出射して室内を照らす第１発光部と、室内から天井に向かう方向に見たときに、第１発光部の外側に設けられ、自身が発光する第２発光体を有し、第２発光体によって発せられた光を出射する第２発光部と、第１発光体と第２発光体との間に、天井から室内側へ突出するように配置された反射板と、を備え、反射板は、第１発光体により発せられた光が、第２発光体による発光領域内へ入射することを防止する遮光面と、第２発光体から発せられた光の出射方向を、第１発光体から発せられる光の出射方向とは異なる方向に方向転換させ、天井に向けて反射させる反射面と、を有している。【選択図】図５
2020082747.tif 000002
【特許請求の範囲】
【請求項１】
輸送機の天井に設けられ室内を照らす照明装置であって、
自身が発光する第１発光体を有し、前記第１発光体によって発せられた光を出射して前記室内を照らす第１発光部と、
前記室内から前記天井に向かう方向に見たときに、前記第１発光部の外側に設けられ、自身が発光する第２発光体を有し、前記第２発光体によって発せられた光を出射する少なくとも一つの第２発光部と、
前記第１発光体と前記第２発光体との間に、前記天井から前記室内側へ突出するように配置された少なくとも一つの反射板と、を備え、
前記反射板は、
前記第１発光体により発せられた光が、前記第２発光体による発光領域内へ入射することを防止する遮光面と、
前記第２発光体から発せられた光の出射方向を、前記第１発光体から発せられる光の出射方向とは異なる方向に方向転換させ、前記天井に向けて反射させる反射面と、を有する、照明装置。
【請求項２】
前記室内から前記天井に向かう方向に見たときに、前記第２発光体は、前記反射板と重なる位置に配置されている、請求項１に記載の照明装置。
【請求項３】
前記第１発光体及び前記第２発光体は、前記室内から前記天井に向かう方向において、前記天井内部に配置されている、請求項１または２に記載の照明装置。
【請求項４】
前記室内から前記天井に向かう方向において、前記反射板の一方の端部が前記天井よりも前記室内から離れた位置に配置され、前記反射板の他方の端部が前記天井よりも前記室内側に突出した位置に配置され、前記反射板と前記天井との間には隙間が形成されている、請求項３に記載の照明装置。
【請求項５】
前記第１発光体と前記第２発光体とによる光の点灯状態を互いに独立して制御する制御部をさらに備える、請求項１から４のいずれか１項に記載の照明装置。
【請求項６】
前記反射板は、金属板である、請求項１から５のいずれか１項に記載の照明装置。
【請求項７】
前記反射板は、湾曲した湾曲部を備える、請求項１から６のいずれか１項に記載の照明装置。
【請求項８】
前記少なくとも一つの反射板は、第１反射板と第２反射板とを有し、
前記第１反射板及び前記第２反射板は、前記天井側から前記室内側に向かうにつれて互いに対向する部分同士の間の水平方向の距離が長くなるように、それぞれ前記湾曲部で湾曲していると共に、前記湾曲部から外側に向かって横方向に延び前記第２発光体から発せられた光を横方向へガイドする横方向ガイド部をそれぞれ備える、請求項７に記載の照明装置。
【請求項９】
前記横方向ガイド部は、平板部と、前記平板部よりも先端側の先端部とを有し、
前記先端部は、天井側を向いて延びている、請求項８に記載の照明装置。
【請求項１０】
前記室内から前記天井に向かう方向に見たときに、前記第１発光部は長方形状であり、前記少なくとも一つの第２発光部は、前記第１発光部の両側に、前記第１発光部を挟んで配置されている、請求項１から９のいずれか１項に記載の照明装置。
【発明の詳細な説明】
【技術分野】
【０００１】
本発明は、輸送機の照明装置に関する。
【背景技術】
【０００２】
従来、２種類の光を用いて室内を照らす形式の照明装置が提案されている。そのような照明装置として、特許文献１に開示されたものがある。特許文献１には、面発光体と、それとは別に設けられたＬＥＤ発光体とを備えた照明装置について開示されている。面発光体から下方に向けて直接的な光が照射されると共に、ＬＥＤ発光体から上方に向けて光が照射され照明装置を支持する支持面に反射させて間接的な光が下方に向けて照射されている。
【先行技術文献】
【特許文献】
【０００３】
【特許文献１】特開２０１８−８５１９３号公報
【発明の概要】
【発明が解決しようとする課題】
【０００４】
しかしながら、特許文献１に開示された照明装置では、面発光体から発せられる光とＬＥＤ発光体から発せられる光とが合流し、それぞれの光が同じ方向に向けて照射されている。面発光体から発せられる光の照度の不足分が、ＬＥＤ発光体から発せられる光によって補われている。そのため、面発光体から発せられる光と、ＬＥＤ発光体から発せられる光とは、同一種類の光になる。従って、２種類の光源から発せられる光を明確に区分できず、光源によって異なる種類の光を使い分けることが困難であった。
【０００５】
そこで、本発明は上記の事情に鑑み、２種類の光源から発せられる光を確実に区分することと、一方の光源から発せられる光を間接光とすることを簡易な構成によって両立できる照明装置を提供することを目的とする。
【課題を解決するための手段】
【０００６】
本発明の照明装置は、輸送機の天井に設けられ室内を照らす照明装置であって、自身が発光する第１発光体を有し、前記第１発光体によって発せられた光を出射して前記室内を照らす第１発光部と、前記室内から前記天井に向かう方向に見たときに、前記第１発光部の外側に設けられ、自身が発光する第２発光体を有し、前記第２発光体によって発せられた光を出射する第２発光部と、前記第１発光体と前記第２発光体との間に、前記天井から前記室内側へ突出するように配置された反射板と、を備え、前記反射板は、前記第１発光体により発せられた光が、前記第２発光体による発光領域内へ入射することを防止する遮光面と、前記第２発光体から発せられた光の出射方向を、前記第１発光体から発せられる光の出射方向とは異なる方向に方向転換させ、前記天井に向けて反射させる反射面と、を有する。
【０００７】
上記構成の照明装置では、反射板によって、第１発光体からの光と第２発光体からの光とを確実に区分することと、第２発光体からの光を反射させ天井面に照射し間接光とすることを、簡易な構成で両立できる。すなわち、光を照射する対象を照らすだけでなく、第１発光部からの光と第２発光部からの光とを異なる種類の光とし、第１発光部からの光と第２発光部からの光とを使い分けることによって、照明装置をより多くの用途に用いることができる。
【発明の効果】
【０００８】
本発明によれば、２種類の光源から発せられる光を確実に区分することと、一方の光源から発せられる光を間接光とすることを簡易な構成によって両立できる照明装置を提供できる。
【図面の簡単な説明】
【０００９】
【図１】（ａ）は、本発明の実施形態に係る照明装置について、主発光部によって照らされる位置から見たときの斜視図であり、（ｂ）は、上方の位置から見たときの斜視図である。
【図２】図１の照明装置の断面図である。
【図３】図２のIII−III線に沿う断面図である。
【図４】図２のIV−IV線に沿う断面図である。
【図５】（ａ）は、図１の照明装置において、主発光部が発光している状態について、一部を破断して部分的に断面を示した斜視図であり、（ｂ）は、副発光部が発光している状態について、一部を破断して部分的に断面を示した斜視図である。
【図６】図１の照明装置の断面図であり、（ａ）は、主発光部を発光させたときの状態における照明装置の断面図であり、（ｂ）は、副発光部を発光させたときの状態における照明装置の断面図である。
【図７】図１の照明装置を鉄道車両に適用した場合の、イメージ図である。
【図８】図１の照明装置を鉄道車両に適用した場合の、制御構成について示したブロック図である。
【発明を実施するための形態】
【００１０】
以下、本発明の実施形態に係る照明装置について、添付図面を参照して説明する。図１（ａ）に、実施形態に係る照明装置１００について、例えば天井に取り付けられるときの姿勢において、照明装置１００によって照らされる位置から照明装置１００を見たときの斜視図を示す。また、図１（ｂ）に、照明装置１００が例えば天井に取り付けられるときの姿勢において、上方の位置から見たときの斜視図を示す。図２に、照明装置１００についての断面図を示す。
【００１１】
本実施形態では、照明装置１００は、例えば輸送機の天井に埋め込まれるように設けられており、室内を照らす照明装置として用いられる。ここで、輸送機としては、鉄道車両であってもよいし、飛行機であってもよい。また、他の輸送機であってもよい。図１（ａ）、（ｂ）に示されるように、照明装置１００は、一方向に長く構成されている。照明装置１００において長く構成された方向をＤ１方向とし、照明装置１００において短く構成されＤ１方向に直交する方向をＤ２方向とする。
【００１２】
図２に示されるように、照明装置１００は、主発光部（第１発光部）１０と、副発光部（第２発光部）２０と、反射板４０と、取付部材５０と、側板６０（図１（ａ）、（ｂ））とを備えている。照明装置１００は、例えば取付部材５０が天井に対しネジ止めされることによって天井に取り付けられている。照明装置１００におけるＤ１方向についての両端部には、それぞれ側板６０が設けられている。照明装置１００を室内から天井２００に向かって見たときに、照明装置１００のＤ２方向についての中央に設けられた主発光部１０は、メインの光となる比較的強い光を出射している。本実施形態では、Ｄ２方向に沿って２つの副発光部２０が照明装置１００に配置されている。室内から天井２００に向かう方向に照明装置１００を見たときに、副発光部２０は、反射板４０を挟んで主発光部１０よりもＤ２方向の外側に設けられている。従って、副発光部２０から出射される光は、照明装置１００を室内から天井２００に向かって見たときに、照明装置１００の外周縁から外側に向けて、天井２００で反射した間接光として照射される。本実施形態では、主発光部１０は、Ｄ１方向に長く形成された長方形状である。また、２つの副発光部２０は、主発光部１０の両側に、主発光部１０を挟んで配置されている。
【００１３】
主発光部１０は、主発光体収納部１３と主発光体（第１発光体）１１を有している。図２に示されるように、主発光体収納部１３は天井面に埋め込まれるように設けられ、その内部に主発光体１１が収納されている。主発光部１０は、主発光体１１からの発光を、天井面から鉛直下向きに出射することで、室内を照らしている。
【００１４】
図３に、図２におけるIII−III線に沿う断面図を示す。本実施形態では、主発光体１１は、Ｄ１方向に沿って複数配置されている。複数の主発光体１１は、支持台１２に取り付けられている。支持台１２は、主発光体収納部１３に対し固定的に取り付けられている。従って、複数の主発光体１１は、支持台１２を介し、主発光体収納部１３によって支持されている。本実施形態では、主発光体１１は、ＬＥＤ素子基板によって構成されており、支持台１２の室内側の位置で、発光機能を備えた素子基板が支持台１２に取り付けられることにより発光体として機能している。
【００１５】
また、主発光部１０は、最も室内側に近い位置に、光を通す材料によって形成された導光部材１４を備えている（図２）。本実施形態では、導光部材１４は、板状のガラス又は光透過樹脂によって構成されている。主発光体１１からの光は導光部材１４を介して室内に出射されるため、室内にいる人が照明装置１００を見たときに直接的な光を見ることを抑えることができる。また、本実施形態では、導光部材１４における、室内側とは逆側の面には、拡散フィルム（不図示）が貼られている。導光部材１４に拡散フィルムが貼られているので、室内にいる人が、主発光部１０から発せられた光によってまぶしさを感じることを抑えることができる。本実施形態では、導光部材１４は、Ｄ１方向に沿って長く構成された長方形状に形成されている（図１（ａ））。
【００１６】
また、副発光部２０は、副発光体（第２発光体）２１を有している。本実施形態では、副発光部２０は、複数の副発光体２１を備えている。
【００１７】
図４に、図２におけるIV−IV線に沿う断面図を示す。本実施形態では、複数の副発光体２１によって構成された列が、主発光部１０のＤ２方向の両方の外側に形成されている。そのため、照明装置１００は、２列の副発光体２１の列を備えている。２列の副発光体２１の列のそれぞれにおいて、副発光体２１は、取付部材５０と反射板４０の間の位置に設けられている。
【００１８】
照明装置１００を室内から天井２００に向かって見たときに、副発光体２１の直接光は反射板４０により遮光されている。主発光体収納部１３の内部に主発光体１１が収納され、且つ取付部材５０と反射板４０との間の位置に副発光体２１が収納されて、主発光体１１及び副発光体２１が照明装置１００に取り付けられている。本実施形態では、主発光体収納部１３、取付部材５０及び反射板４０は、Ｄ１方向に沿って長く構成されている。
【００１９】
また、照明装置１００は、カバー３０をさらに備える。図２に示されるように、主発光体収納部１３は、取付部材５０に取り付けられている。カバー３０は、主発光体収納部１３と、主発光体収納部１３と取付部材５０の取り付け面とを覆うように構成されている。さらに、取付部材５０は、天井２００に対しネジ止めによって取り付けられている。取付部材５０が天井２００に取り付けられることにより、照明装置１００が天井２００に取り付けられている。カバー３０及び側板６０には複数の放熱孔３２が開いており、主発光体１１や副発光体２１の発熱による熱を、照明装置１００から外部に放熱している。
【００２０】
本実施形態では、照明装置１００は、一部が天井２００に埋め込まれて取り付けられる。図２に示されるように、カバー３０、主発光体収納部１３及び取付部材５０が天井２００の内部に埋め込まれて、照明装置１００が天井２００に対し取り付けられている。主発光体１１も、天井２００よりも上方の位置に設けられており、主発光部１０からの光は、天井２００の内部を起点に出射されている。
【００２１】
また、本実施形態では、反射板４０は、取付部材５０にネジ止めによって取り付けられている。図２に示されるように、照明装置１００は、Ｄ１方向に長く形成された２つの反射板４０を備えている。２つの反射板４０は、照明装置１００におけるＤ２方向の中心線Ｌ１に対しＤ２方向に対称に配置されている。２つの反射板４０は、それぞれ天井２００から室内側へ突出するように配置されている。本実施形態では、各々の反射板４０では、室内から天井２００に向かう方向において、一方の端部が天井２００よりも室内から離れた位置に配置され、他方の端部が天井２００よりも室内側に突出した位置に配置される。反射板４０と天井２００との間には隙間が形成されている。
【００２２】
反射板４０は、一方の端部（上側の端部）に帯板状に構成され、反射板４０を取付部材５０に固定するための固定部４１を有し、他方の端部（下方の端部）に横方向に延びる横方向ガイド部４４を有している。ここで、「横方向」は、厳密な水平方向を指すものではなく、概ねＤ２方向を向いた状態を指すものとする。そのため、横方向ガイド部４４は、上下方向に多少傾いていてもよい。横方向ガイド部４４は、平板部４４ａと、平板部４４ａよりも先端側の先端部４４ｂとを有している。平板部４４ａは、横方向に向かって延びた平坦な板状の部材として構成されている。先端部４４ｂは、上側（天井側）を向いて延びている。
【００２３】
反射板４０は、固定部４１と横方向ガイド部４４との間に湾曲部４３を有している。反射板４０は、固定部４１が照明装置１００に対しネジ止めされることにより、主発光部１０の導光部材１４と略同一面に取り付けられている。Ｄ２方向に沿って対向した固定部４１同士の間の位置には、主発光体１１で発光した光を通すように、光路４２が形成されている。
【００２４】
２つの反射板４０のそれぞれにおける横方向ガイド部４４の先端部４４ｂは、いずれもＤ２方向の外側に配置されている。また、２つの反射板４０は、それぞれ下方に向かうにつれて、互いに対向する反射板４０同士の間の水平方向に沿った距離が長くなるように、湾曲部４３でＤ２方向の外側に向かって湾曲している。すなわち、湾曲部４３は、それぞれ主発光部１０の導光部材１４と同一面から下方に向かって延び、そこから下方に向かうにつれて外側へ向かうように湾曲している。さらに、反射板４０は湾曲部４３から外側に向かって延びる横方向ガイド部４４を備えているので、反射板４０と取付部材５０との間の隙間の領域は、最も下方の位置でＤ２方向の外側を向いて開口している。
【００２５】
それぞれの反射板４０が、下方に向かうにつれてＤ２方向の外側へ向かうように湾曲しているので、室内から天井２００に向かう方向に照明装置１００を見たときに、反射板４０と副発光体２１とが、それぞれ重なる位置に配置される。また、副発光体２１が反射板４０よりも室内から天井２００に向かう方向の奥側の位置に配置されている。つまり、室内から天井２００に向かう方向に照明装置１００を見たときに、副発光体２１が、反射板４０によって覆われるように配置されている。
【００２６】
取付部材５０は、Ｄ２方向の外側の端部に、水平方向に延び天井２００への固定の行われる固定部５１を有している。また、取付部材５０におけるＤ２方向の内側の端部には、主発光体収納部１３とカバー３０とが取り付けられている。取付部材５０は、天井２００に対し固定部５１でネジ止めが行われることによって取り付けられている。
【００２７】
図２に示されるように、副発光体２１は、主発光部１０の導光部材１４と略同一面であって、反射板４０における固定部４１よりも外側の位置に取り付けられている。
【００２８】
室内から天井２００に向かう方向に照明装置１００を見たときに、副発光部２０は、主発光部１０よりもＤ２方向の外側の位置に配置されている。また、室内から天井２００に向かう方向に照明装置１００を見たときに、主発光部１０及び副発光部２０はそれぞれＤ１方向に沿って長く形成され、主発光部１０は、Ｄ２方向の両方の外側に配置された副発光部２０によって挟まれて配置されている。また、副発光部２０と主発光部１０との間の位置に反射板４０が配置され、副発光部２０と主発光部１０との間が反射板４０によって遮光されている。従って、副発光部２０が、主発光部１０の外側で、主発光部１０からの光とは異なる種類の光を、主発光部１０からの光と混ざらないように発することができる。また、副発光体２１からの直接光が反射板４０によって天井２００へ反射されることによって、副発光部２０から照明装置１００の外部に出射される光は間接光となり、室内にいる人がまぶしさを感じることを抑えることができる。すなわち、主発光部１０と副発光部２０とで、異なる種類の光を、確実に区分して出射することと、副発光部２０からの出射光を間接光とすることを、簡易な構成で両立できる。
【００２９】
本実施形態では、室内から天井２００に向かう方向に照明装置１００を見たときに、副発光体２１が、反射板４０のＤ２方向の外側でＤ１方向に複数並べられて配置されている。また、副発光体２１は、Ｄ１方向に長く構成された主発光部１０の外縁に沿って、等間隔でＤ１方向に複数並べられて配置されている。主発光体１１の列と副発光体２１の列との間の位置には、反射板４０が配置されている。つまり、室内から天井２００に向かう方向に照明装置１００を見たときに、Ｄ２方向の内側に配置された主発光体１１の列と、外側に配置された副発光体２１の列とによって、反射板４０が挟まれている。
【００３０】
本実施形態では、１つの副発光体２１につき、赤の光を発する素子と、青の光を発する素子と、緑の光を発する素子とがそれぞれ設けられている。従って、３つの素子から発するそれぞれの光の強さを調節することにより、１つの副発光体２１によって様々な種類の色の光を発することができる。副発光体２１は、それぞれ、３つの素子が取り付けられたＬＥＤ素子基板によって構成されている。
【００３１】
本実施形態では、反射板４０が上述のように構成されているので、副発光体２１で発せられた光が副発光部２０から外部に出射されるまでの光の経路が長い。本実施形態では、副発光体２１から発せられた光は、副発光部２０から出射されるまでにＤ２方向についての反射板４０の外側の比較的長い経路を進む。その間にそれぞれの副発光体２１の有する３つの素子のそれぞれが発する色味が混ざり合い、副発光部２０で発せられる光が、所望の色に調整される。
【００３２】
また、本実施形態では、反射板４０を湾曲させることにより、水平方向に対し、反射板４０と取付部材５０との間の光路の長さを稼いでいる。輸送機に用いられる照明装置では、室内のスペースに対する制限があるので、鉛直方向への光路の長さを確保することが難しい場合がある。本実施形態では、水平方向に対し光路の長さが確保されているので、鉛直方向に対しコンパクトに保たれたまま、光路の長さが十分に確保されている。従って、照明装置１００がコンパクトに保たれたまま、それぞれの色の光を発する素子が発する色味が混ざり合うための光路の長さを十分に確保することができる。
【００３３】
なお、副発光体２１を構成する素子の色は、赤、青、緑に限定されない。例えば、シアン、マゼンタ、黄色などの組み合わせであってもよい。また、副発光体２１が複数の色を発光させることができるのであれば、素子については、他の色の組み合わせであってもよい。
【００３４】
また、副発光体２１のそれぞれが複数の素子を有する構成でなくてもよい。例えば、１列につき複数配置された副発光体２１のうち、一部の副発光体２１が赤の光を発する発光体であり、別の副発光体２１が青の光を発する発光体であり、さらに別の副発光体２１が緑の光を発する発光体として構成されてもよい。副発光体２１から副発光部２０までの距離が比較的長いので、複数の副発光体２１がそれぞれ異なる色の光を発したとしても、副発光体２１と副発光部２０との間の経路を進む間に光の色味が良好に混ざり合う。従って、副発光部２０で発せられる光が経路内で所望の色に調整される。
【００３５】
また、本実施形態では、副発光部２０での光を発光させる副発光体２１は、天井２００に埋め込まれた部分に収納されている。副発光体２１は、取付部材５０における、天井２００の内部に埋め込まれた部分に収納されている。つまり、本実施形態では、主発光体１１及び副発光体２１の両方が、室内から天井２００に向かう方向に対し、天井２００よりも室内から離れた位置に配置されている。つまり、主発光体１１及び副発光体２１が、室内から天井２００に向かう方向において、天井２００内部側に配置されている。
【００３６】
このように構成された照明装置１００によって、主発光部１０及び副発光部２０によって発光させる際の、それぞれの照明装置１００について一部を破断して部分的に断面を示した斜視図を図５（ａ）、（ｂ）に示す。図５（ａ）、（ｂ）では、照明装置１００は、天井２００に一部が埋め込まれて取り付けられている。図５（ａ）には、主発光部１０が発光している状態について示されており、図５（ｂ）には、副発光部２０が発光している状態について示されている。図５（ａ）に示されるように、照明装置１００は、主発光部１０からの光によって室内を明るく照らす。このように、本実施形態では、主発光部１０からの光は、直接室内に向けて出射され、主に室内を明るく照らすための照明として用いられており、主発光部１０は、白色光を発するように構成されている。また、主発光部１０は、室内を明るくするために、比較的強めの光を発するように構成されている。また、図５（ｂ）に示されるように、照明装置１００は、副発光部２０が、天井２００（Ｄ２方向の外側上部）に向けて光を出射する。このように、副発光部２０は天井２００に光を出射し、間接光として室内を照らすため、主発光部１０から発せられる光とは異なる種類の光を発する。
【００３７】
このように、本実施形態では、主発光部１０は、主発光体１１及び導光部材１４を備えて構成されている。また、本実施形態では、副発光部２０は、複数の副発光体２１と、反射板４０と取付部材５０との間の光の進む経路を備えて構成されている。
【００３８】
なお、本実施形態では、副発光部２０が主発光部１０とは異なる色の光を出射することにより、副発光部２０が主発光部１０とは異なる種類の光を出射する形態について説明したが、これに代えて点灯状態を変えることにより副発光部２０が主発光部１０とは異なる種類の光を出射するようにしてもよい。例えば、主発光部１０が連続的に光を出射するのに対し、副発光部２０が点滅や明滅することにより、副発光部２０が主発光部１０とは異なる種類の光を出射するようにしてもよい。また、出射される光の色と、光の点灯状態との両方を変更することにより、副発光部２０が主発光部１０とは異なる種類の光を出射するようにしてもよい。
【００３９】
また、副発光体２１は、図２に示されるように主発光部１０の導光部材１４と略同一面に設けられなくてもよい。主発光部１０から発せられる光とは異なる種類の光を発することができるのであれば、副発光体２１は他の位置に設けられていてもよい。例えば、副発光体２１は、反射板４０におけるＤ２方向の外側の面に配置されてもよい。また、副発光体２１は、取付部材５０におけるＤ２方向の内側の面に配置されてもよい。副発光体２１は、反射板４０と取付部材５０との間の領域に収納されていれば、この領域内部でそれぞれのＬＥＤ素子から発せられた光同士が混ざり合って、主発光部１０からの光とは異なる色の光を副発光部２０から発することができる。そのため、副発光体２１は、反射板４０と取付部材５０との間の領域内の他の位置であってもよい。
【００４０】
図６（ａ）、（ｂ）に、照明装置１００が主発光部１０及び副発光部２０のそれぞれを発光させている状態の照明装置１００の断面図を示す。図６（ａ）には、主発光部１０から光を発している状態の照明装置１００の断面図が示され、図６（ｂ）には、副発光部２０から光を発している状態の照明装置１００の断面図が示されている。
【００４１】
図６（ａ）に示されるように、主発光部１０から光を発するときには、室内から天井２００に向かう方向に照明装置１００を見たときに、Ｄ２方向についての反射板４０の内側の位置で主発光体１１を発光させる。従って、主発光部１０によって発せられた光は、反射板４０の内側の位置で発せられてから反射板４０の内側の位置を通過して室内に到達する。
【００４２】
その一方、図６（ｂ）に示されるように、副発光部２０から光を発するときには、室内から天井２００に向かう方向に照明装置１００を見たときに、Ｄ２方向についての反射板４０の外側の位置で副発光体２１を発光させる。反射板４０の外側の位置で副発光体２１により発せられた光は、反射板４０の外側の面で反射しながら、反射板４０の外側の面によって案内されつつ、副発光部２０から光を発する。
【００４３】
副発光部２０が光を発する際には、副発光体２１によって発せられた光は、反射板４０と取付部材５０との間の領域で反射しながら、副発光部２０によって光の出射の行われる位置まで進む。図６（ｂ）に示されるように、副発光体２１によって発せられた光が、反射板４０と取付部材５０との間からＤ２方向の外側に向かって出射されるときには、光は反射板４０で反射して室内から天井２００に向かう方向を向くように方向転換させられる。つまり、副発光体２１から発せられた光の出射方向を、主発光体１１から発せられる光の出射方向とは異なる方向に方向転換させる。このように、反射板４０は、副発光体２１から発せられる光を天井２００に向けて反射させる反射面を備えている。副発光体２１で発せられた光のうち、多くの光が反射板４０で反射して室内から天井２００に向かう方向を向いて出射され、天井２００で反射した光が室内にいる人の方へ向かう。そのため、室内にいる人は、副発光部２０から出射される光を見る際には、副発光体２１からの光を直接見るわけではなく、反射板４０で方向転換させられ、天井２００の室内側の面で反射した間接光を見ることになる。このように、副発光体２１から発せられた光が反射板４０と取付部材５０との間の位置から外側に向かって出射されるときに、光は、Ｄ２方向の外側を向きながら、反射板４０で方向転換させられて天井２００の室内側の面で反射して室内側から天井２００に向かう方向を向いて出射される。
【００４４】
また、照明装置１００が上述のように構成されているので、副発光部２０によって出射され天井２００で反射した光のＤ２方向の内側に、反射板４０で光が遮られることによる影が形成される。従って、主発光部１０から出射される光と副発光部２０から出射される光との間に影が形成される。主発光部１０から出射される光と副発光部２０から出射される光との間に影が形成されるので、主発光部１０から出射される光と副発光部２０から出射される光とが確実に区分される。従って、副発光部２０から、主発光部１０からの光とは異なる種類の光を出射したときに、副発光部２０から出射される光と、主発光部１０から出射される光との差を確実に認識することができる。
【００４５】
また、本実施形態では、反射板４０は、遮光性を有して構成されている。従って、主発光部１０から発せられる光は、反射板４０によって遮られて、副発光体２１から発せられた光と混ざり合うことを抑えることができる。つまり、反射板４０は、主発光部１０から発せられる光が、副発光体２１によって発光された光の通る発光領域内へ入射することを防止する遮光面を備えて構成されている。反射板４０が遮光面を有しているので、主発光体１１で出射された光が反射板４０によって遮られ、副発光体２１の発光領域に入射しないように構成されている。従って、主発光部１０で出射される光と副発光部２０で出射される光とが確実に区分される。
【００４６】
上述のように、反射板４０は、副発光体２１から発せられた出射光を、主発光体１１から発せられた出射光とは異なる方向に反射させるので、主発光部１０による光及び副発光部２０による光のそれぞれが異なる位置で発光する。本実施形態では、図６（ｂ）に示されるように、反射板４０での反射により副発光体２１から出射された光の方向が変えられ、光が室内から天井２００に向かう方向を向いて出射されている。従って、副発光部２０から出射された光は、天井２００における室内側の面で再び反射することによって室内側へ向かい、室内にいる人が光を認識することができる。
【００４７】
また、さらに本実施形態では、室内から天井２００に向かう方向に照明装置１００を見たときに、反射板４０の内側で光を発する主発光部１０と、反射板４０の外側で光を発する副発光部２０との間で、発せられたそれぞれの光が混ざらないように構成されているので、それぞれの光を確実に区分して使い分けることができる。
【００４８】
室内を主発光部１０からの白色光によって照らすだけでなく、主発光部１０からの光と副発光部２０からの光とを使い分けることによって、照明装置１００をより多くの用途に用いることができる。例えば、副発光部２０から発せられる光を、室内にいる人の注意を喚起するのに用いることができる。つまり、主発光部１０から発せられる白色光を用いて室内を明るく照らしながら、副発光部２０から主発光部１０とは異なる色の光を発することにより、室内にいる人に向けて注意を喚起する等の情報を提供できる。
【００４９】
このように、本実施形態では、主発光部１０は、下方の室内に向けて光を発する一方、副発光部２０は、天井２００に向けて方向転換するように光を反射させながら、横方向に向けて光を発する。このとき、副発光部２０から発せられる光を、主発光部１０から発せられる光とは異なる種類の光とすることにより、照明装置１００をより多くの用途に用いることができる。
【００５０】
また、本実施形態では、室内から天井２００に向かう方向に照明装置１００を見たときに、副発光体２１は、反射板４０と重なるように配置されているので、室内にいる人は、副発光体２１から出射される光を直接見ることはなく、副発光部２０からの光を間接光として見ることになる。室内にいる人は、副発光体２１からの光を間接光として見るので、副発光体２１からの光が反射板４０と取付部材５０との間で十分に混ざり合った状態で見ることができる。従って、室内にいる人は、所望の色に調節された色の光を見ることになり、副発光部２０から発せられる光の見栄えを良くすることができる。
【００５１】
また、本実施形態では、主発光体１１及び副発光体２１は、室内から天井２００に向かう方向に対し、天井２００よりも室内から離れた位置に配置されているので、主発光体１１と副発光体２１とのそれぞれが、室内にいる人に対し、距離を十分に確保することができる。従って、室内にいる人が照明装置１００を見たときに、まぶしさを感じることを抑えることができる。
【００５２】
また、本実施形態では、反射板４０は、湾曲部４３を有して構成されているので、取付部材５０と反射板４０との間の領域が水平方向にも延びて形成され、その領域の長さが十分に確保されている。従って、副発光体２１から出射された光が、取付部材５０と反射板４０との間の領域で反射を繰り返し、副発光部２０で発せられる。そのため、取付部材５０と反射板４０との間の領域で異なる色の光同士が十分に混ざり合ってから、副発光部２０で発せられる。
【００５３】
また、本実施形態では、室内から天井２００に向かう方向において、反射板４０の一方の端部が天井２００よりも室内から離れた位置に配置され、反射板４０の他方の端部が天井２００よりも室内側に突出した位置に配置されるので、反射板４０と取付部材５０との間、及び、反射板４０と天井２００との間で、光の経路の長い距離が確保されている。副発光体２１から出射された光は、反射板４０と取付部材５０との間の隙間と、反射板４０と天井２００との間の隙間とを通過して、副発光部２０から間接光として天井２００に向けて発せられる。従って、副発光体２１から出射された光は、反射板４０と取付部材５０との間の隙間、及び、反射板４０と天井２００との間の隙間でより混合されて、天井２００に間接光として照射される。従って、副発光体２１からの光を、これらの隙間の内部で十分に混合させることができる。
【００５４】
また、本実施形態では、反射板４０は、熱伝導率の高い金属によって形成された板状部材（金属板）によって構成されている。本実施形態では、反射板４０は、アルミニウムによって形成されている。従って、主発光部１０及び副発光部２０の発光により、熱が発生したとしても、そこで発生した熱を外部に効率的に放熱することができる。主発光部１０及び副発光部２０で発生した熱を効率的に放熱することができるので、主発光部１０及び副発光部２０が熱によって受ける負荷を少なくすることができ、主発光部１０及び副発光部２０の寿命を長くすることができる。なお、本実施形態では、反射板４０を構成する材料としてアルミニウムが用いられているがこれに限定されない。アルミニウム以外の材料が用いられてもよい。こうすることにより、主発光部１０及び副発光部２０が発光したときに生じる熱を外部に効率的に放熱することができる。
【００５５】
図７に、本実施形態の照明装置１００を鉄道車両４００に適用した場合について説明するため鉄道車両のイメージ図を示す。図７に示されるように、鉄道車両４００の客室４１０内の両側に設けられた座席４２０よりも上部にある天井４１１に、本実施形態の照明装置１００を配置する。夫々の座席４２０の中央部は通路４１２であり、照明装置１００の主発光部１０は、その上部の天井４１１に位置し、主発光部１０からの白色光によって、乗客の行き来の多い通路４１２付近を明るく照らすことができる。
【００５６】
また、副発光部２０を発光させることによって、乗客が着席する上部の天井４１１を発光させる。このとき、副発光部２０は、主発光部１０からの光とは異なる種類の光によって発光する。本実施形態では、副発光部２０が、主発光部１０からの白色光とは異なる色の光を発する。例えば、青い光を発することで、座席４２０と通路４１２で異なる色の空間を演出できる。また、照明装置１００の乗降扉（図示せず）が開く側に位置する側の副発光部２０が、扉が開くことを示すための赤い光を前もって発する。
【００５７】
本実施形態では、図７の右側に位置する乗降扉（図示せず）が開くものとする。その際、鉄道車両４００が停車駅に一定の距離まで近づくと、乗降扉が開く側の副発光部２０を発光させる。副発光体２１ａ、２１ｂのうち、乗降扉が開く側の副発光体２１ａのみを発光させる。鉄道車両４００における客室４１０内の乗客は、右側の副発光部２０からの赤い光を認識することによって降車側の扉が右側の扉であることを確認することができる。このように、主発光部１０からの白色光とは異なる赤色の光をいずれかの側の副発光部２０が発するので、乗客の注意を喚起することができる。これにより、車両４００の客室４１０内の乗客は、開く側の扉を認識することができる。また、鉄道車両４００が完全に停車した際に、副発光部２０からも白色光を発光することで、客室４１０内部全体を明るく照らし、車両４００の室内の乗客は、停車したことを認識することができる。
【００５８】
なお、上記実施形態では、副発光体２１ａ、２１ｂのうち、扉が開く側の副発光体２１のみを発光させ、扉が開く側を乗客に示す形態について説明したが、本発明は上記実施形態に限定されない。副発光体２１ａ、２１ｂの両方を発光させ、方向については示さずに扉が開くタイミングだけを示す形態であってもよい。また、副発光体２１ａ、２１ｂのうち、扉が開く側の副発光体２１のみを点滅させる等、点灯状態が変化する形態であってもよい。
【００５９】
照明装置１００のいずれの副発光部２０を発光させるかについては、プログラムに基づいて自動的に判断されるように制御装置による制御によって判断が行われてもよい。例えば、図８に示されるような制御構成によって、照明装置１００の副発光体２１ａ、２１ｂのうちのいずれかの副発光体２１を発光させるかの制御が行われてもよい。
【００６０】
図８に、本実施形態の鉄道車両４００における照明装置１００の制御構成についてのブロック図を示す。図８に示されるように、制御部３００は、演算部３１０と、記憶部３２０と、照明装置制御部３３０とを含む。
【００６１】
制御部３００は、例えばコンピュータを備えたコントローラである。記憶部３２０には、基本プログラム、各種データ等の情報が記憶されている。演算部３１０は、記憶部３２０に記憶された基本プログラム等のソフトウェアを読み出して実行することにより、各種の照明装置１００の点灯、消灯を制御する。すなわち、演算部３１０は、各種の照明装置１００への制御指令を生成し、これを照明装置制御部３３０に出力する。例えば、演算部３１０は、プロセッサユニットによって構成されている。
【００６２】
照明装置制御部３３０は、演算部３１０により生成された制御指令に基づいて、各種の照明装置１００の点灯、消灯を制御するように構成されている。制御部３００は、開く側の扉に基づいて、照明装置１００における副発光体２１ａ、２１ｂのうちのいずれの副発光体２１を発光させるかを制御するように構成されていてもよい。また、制御部３００は、点灯、消灯の制御に加え、副発光部２０から発せられる光の色について何色の光を発光するかについて制御を行うように構成されてもよい。副発光部２０から発せられる光の色の制御については、それぞれの色を発する発光素子の点灯状態を制御することにより、副発光部２０からの光の色や明暗の制御を行うことができる。
【００６３】
このとき、制御部３００は、１つの照明装置１００について、主発光部１０による発光と副発光部２０による発光とを互いに独立して制御するように構成されていてもよい。つまり、車両に設置された制御部３００は、主発光部１０による光点灯状態と副発光部２０による光の点灯状態とを互いに独立して制御するように構成されていてもよい。
【００６４】
なお、上記の実施形態では、照明装置１００は、室内から天井２００に向かう方向に照明装置１００を見たときに、照明装置１００が略長方形となるよう構成について説明した。照明装置１００は、上記実施形態に限定されず、他の形状であってもよい。
【００６５】
また、上記の実施形態では、主発光体１１及び副発光体２１の両方が、室内から天井２００に向かう方向に対し、天井２００よりも室内から離れた位置に配置されているが、輸送機内のスペースの制限によっては室内側に配置されていてもよい。
【００６６】
また、上記の実施形態では、複数の主発光体１１及び副発光体２１が、等間隔の列となるように配置されている形態について説明したが、主発光体１１及び副発光体２１の配置は別の配置であってもよい。主発光体１１及び副発光体２１は、等間隔に配置されなくてもよい。
【００６７】
また、上記の実施形態では、反射板４０と取付部材５０との間の隙間は空洞として構成されているが、反射板４０と取付部材５０との間の隙間は空洞でなくてもよい。反射板４０と取付部材５０との間に、副発光体２１から発せられた光を導光するための導光部材が配置されていてもよい。例えば、反射板４０と取付部材５０との間に、アクリル樹脂が充填されていてもよい。
【００６８】
また、上記の実施形態では、照明装置は鉄道車両に適用される形態について説明したが、照明装置が適用される場所は鉄道車両でなくてもよい。例えば、飛行機の客室の内部といった、鉄道車両以外の輸送機に適用されてもよい。
【００６９】
また、上記の実施形態では、鉄道車両内で、主発光部１０から白色光によって車両内部を明るく照らしながら、主発光部１０から発せられる光とは異なる種類の光として副発光部２０からの間接光を出射する形態について説明した。また、副発光部２０からの光により開く扉の側を示す形態についても説明したが、上記実施形態に限定されない。例えば、主発光部１０から白色光によって車両内部を明るく照らしながら、避難する必要が生じたときに副発光部２０からの光によってそのことを乗客に知らせる形態であってもよい。また、主発光部１０から発せられる光とは異なる種類の光を副発光部２０で発することにより行うことができるのであれば、照明装置１００は、他の用途に用いられてもよい。
【符号の説明】
【００７０】
１０  主発光部（第１発光部）
１１  主発光体（第１発光体）
２０  副発光部（第２発光部）
２１  副発光体（第２発光体）
４０  反射板
４３  湾曲部
４４  横方向ガイド部
４４ａ  平板部
４４ｂ  先端部
１００  照明装置
２００  天井
３００  制御部
【図１】
2020082747.tif 000003
【図２】
2020082747.tif 000004
【図３】
2020082747.tif 000005
【図４】
2020082747.tif 000006
【図５】
2020082747.tif 000007
【図６】
2020082747.tif 000008
【図７】
2020082747.tif 000009
【図８】
2020082747.tif 000010